(57)【要約】【課題】アンテナ装置と当該アンテナ装置に対してアンテナダイバーシティ制御を行う通信装置において、アンテナ装置及び通信装置の小型軽量化を図ると共にアンテナダイバーシティ効果を向上させる。【解決手段】携帯電話１００が備えるアンテナ部１１ａは従来の逆Ｆ型アンテナの棒状エレメントと同様の構成・機能を有する棒状エレメント１１１ａのみを備え、更に棒状エレメント１１１ａに給電部Ｄ２を介して給電するか或いは給電部Ｄ３を介して給電するかを切り替えるスイッチ部ＳＡを備える。アンテナ部１１ａは給電部Ｄ２、Ｄ３がスイッチ部ＳＡを介して切り替わることにより互いに異なる指向性特性を有する二つ分のアンテナとしての機能を実現する。【選択図】　　　　　図２
2004040554.tif 000002
【特許請求の範囲】
【請求項１】
電波を送受信するアンテナ素子を備えたアンテナ装置において、
前記アンテナ素子は所定部位に第一の給電部及び第一の接地部を有し、他の部位に第二の給電部及び第二の接地部を有し、前記アンテナ素子に対する給電時には前記第一の接地部を接地して前記第一の給電部から給電するか或いは前記第二の接地部を接地して前記第二の給電部から給電するかを切り替える切替手段を備えたことを特徴とするアンテナ装置。
【請求項２】
前記アンテナ素子は略棒状に形成され、当該アンテナ素子の一端部に前記第一の給電部及び第一の接地部が配置され、当該アンテナ素子の他端部に前記第二の給電部及び第二の接地部が配置されていることを特徴とする請求項１に記載のアンテナ装置。
【請求項３】
前記アンテナ素子は略板状に形成され、当該アンテナ素子の外縁部の所定部位に前記第一の給電部及び第一の接地部が配置され、当該アンテナ素子の外縁部の他の部位に前記第二の給電部及び第二の接地部が配置されていることを特徴とする請求項１に記載のアンテナ装置。
【請求項４】
前記第一の接地部及び第二の接地部の間に前記第一の給電部及び第二の給電部が配置されていることを特徴とする請求項２又は３に記載のアンテナ装置。
【請求項５】
前記第一の給電部及び第二の給電部の間に前記第一の接地部及び第二の接地部が配置されていることを特徴とする請求項２又は３に記載のアンテナ装置。
【請求項６】
請求項１〜５のいずれか一項に記載のアンテナ装置を備え、当該アンテナ装置を介して電波の送受信を行う通信装置であって、
前記第一の給電部から前記アンテナ素子に給電した場合と、前記第二の給電部から該アンテナ素子に給電した場合とで受信感度の大小を測定する測定手段と、前記測定手段による測定結果に基づき、前記第一の給電部或いは第二の給電部のうち受信感度の大きい給電部から前記アンテナ素子に給電するよう前記切替手段を制御する制御手段と、
を備えたことを特徴とする通信装置。
【発明の詳細な説明】
【０００１】
【発明の属する技術分野】
本発明はアンテナ装置及び当該アンテナ装置を具備した通信装置に関する。
【０００２】
【従来の技術】
近時、ＰＤＣ（Ｐｅｒｓｏｎａｌ　Ｄｉｇｉｔａｌ　Ｃｅｌｌｕｌａｒ）方式に基づいて通信を行う携帯電話等の通信装置は、ＴＤＭＡ（Ｔｉｍｅ　Ｄｉｖｉｓｉｏｎ　Ｍｕｌｔｉｐｌｅ　Ａｃｃｅｓｓ）方式に基づいて音声やデータ等の信号の送受信を行う。このようなＴＤＭＡ方式の通信装置は、複数のアンテナを有するアンテナ装置を具備し、送受信のタイミングが重複しない時間を利用して当該複数アンテナのうちで受信電界強度（ＲＳＳＩ；Ｒｅｃｅｉｖｅｄ　Ｓｉｇｎａｌ　Ｓｔｒｅｎｇｔｈ　Ｉｎｄｉｃａｔｉｏｎ）が大となる（すなわち受信感度の優れた）アンテナを選択するアンテナダイバーシティ制御を行う。
【０００３】
上記ＴＤＭＡ方式の通信装置としての携帯電話２００は、図５（ａ）に示すように、二つのアンテナ２０２ａ及び２０２ｂをアンテナダイバーシティ制御用に備える。アンテナ２０２ａは送受信共用のロッド式アンテナであり、アンテナ２０２ｂは受信専用の逆Ｆ型アンテナである。
【０００４】
ここでアンテナ２０２ｂのような逆Ｆ型アンテナは、図５（ｂ）に示すように、互いに対向する向きに配置されたエレメント２１１（例えば棒状エレメントとするが、板状エレメントであっても良い）及びグランド板２１２等を備える。エレメント２１１の一端に設けた接地部Ｇ１はグランド板２１２を介して接地され、エレメント２１１のうち当該接地部Ｇ１より内側の給電部Ｇ２はＣ端子に接続され、給電されることにより逆Ｆ型アンテナが構成される。
【０００５】
【発明が解決しようとする課題】
しかし、上記従来の技術には、以下に示す問題点がある。
まず、携帯電話２００は二つのアンテナ２０２ａ及び２０２ｂを設けなければならず、小型軽量化を図るのが困難となる。この場合、アンテナ２０２ａはロッド式アンテナであり、図５（ａ）に示すように筐体２０１に突起するように設けられるので、携帯電話２００の小型軽量化及び可搬性の向上が困難となる。
更に、携帯電話２００をできるだけ小型にするため、これらアンテナ２０２ａ及び２０２ｂ同士の設置間隔が極めて接近したものとなるため、両アンテナ間に相互結合が生じてアンテナ利得の低下を招くと共に、両アンテナ間の相関が高くなりアンテナダイバーシティ効果の低下を招くこととなる。
【０００６】
本発明の課題は、アンテナ装置と当該アンテナ装置に対してアンテナダイバーシティ制御を行う通信装置において、アンテナ装置及び通信装置の小型軽量化を図ると共にアンテナダイバーシティ効果を向上させることである。
【０００７】
【課題を解決するための手段】
上記課題を解決するため、本発明は、
電波を送受信するアンテナ素子を備えたアンテナ装置において、
前記アンテナ素子は所定部位に第一の給電部及び第一の接地部を有し、他の部位に第二の給電部及び第二の接地部を有し、前記アンテナ素子に対する給電時には前記第一の接地部を接地して前記第一の給電部から給電するか或いは前記第二の接地部を接地して前記第二の給電部から給電するかを切り替える切替手段を備えたことを特徴とする。
【０００８】
更に本発明は、
前記アンテナ素子は略棒状に形成され、当該アンテナ素子の一端部に前記第一の給電部及び第一の接地部が配置され、当該アンテナ素子の他端部に前記第二の給電部及び第二の接地部が配置されているのが好ましい。
【０００９】
更に本発明は、
前記アンテナ素子は略板状に形成され、当該アンテナ素子の外縁部の所定部位に前記第一の給電部及び第一の接地部が配置され、当該アンテナ素子の外縁部の他の部位に前記第二の給電部及び第二の接地部が配置されているのが好ましい。
【００１０】
更に本発明は、
前記第一の接地部及び第二の接地部の間に前記第一の給電部及び第二の給電部が配置されているのが好ましい。
【００１１】
更に本発明は、
前記第一の給電部及び第二の給電部の間に前記第一の接地部及び第二の接地部が配置されているのが好ましい。
【００１２】
また上記課題を解決するため、本発明は、
請求項１〜５のいずれか一項に記載のアンテナ装置を備え、当該アンテナ装置を介して電波の送受信を行う通信装置であって、
前記第一の給電部から前記アンテナ素子に給電した場合と、前記第二の給電部から該アンテナ素子に給電した場合とで受信感度の大小を測定する測定手段と、前記測定手段による測定結果に基づき、前記第一或いは第二の給電部のうち受信感度の大きい給電部から前記アンテナ素子に給電するよう前記切替手段を制御する制御手段と、
を備えたことを特徴とする。
【００１３】
【発明の実施の形態】
以下、図１、図２を参照して本発明を適用した好適な一例を説明する。
図１は、携帯電話１００の主要構成を示すブロック図である。携帯電話１００はＴＤＭＡ方式に基づく通信方式で音声やデータ等の信号の送受信を行うと共に、アンテナダイバーシティ制御を行う。
【００１４】
ここで、以下に説明するアンテナ部１１ａ〜１１ｄは本発明の請求項に記載されたアンテナ装置が有する機能を実現し、携帯電話１００は通信装置が有する機能を実現し、棒状エレメント１１１ａ及び板状エレメント１１１ｂはアンテナ素子が有する機能を実現し、スイッチＳＡ及びＳＢは切替手段が有する機能を実現し、ＣＰＵ１３は測定手段と制御手段とが各々有する機能を実現する。また、例えば、以下に説明する給電部Ｄ２及び接地部Ｄ１（給電部Ｅ２及び接地部Ｅ１或いは給電部Ｆ１及び接地部Ｆ２）は本発明の請求項に記載された第一の給電部及び第一の接地部に各々対応すると共に給電部Ｄ３及び接地部Ｄ４（給電部Ｅ３及び接地部Ｅ４或いは給電部Ｆ４及び接地部Ｆ３）は第二の給電部及び第二の接地部に各々対応する（又はこの対応関係の逆）。
【００１５】
図１に示すように、携帯電話１００は、アンテナ部１１ａ、無線部１２、ＣＰＵ１３、ＲＯＭ１４、ＲＡＭ１５、キーパッド１６、受話スピーカ１７、表示器１８、マイク１９等を備えて構成される。
【００１６】
アンテナ部１１ａは、図示しない基地局から送信された無線信号を受信すると共に、無線部１２から出力される信号を当該基地局に向け発信する。また、後に詳述するようにアンテナ部１１ａは、二つの異なる指向性特性のアンテナとしての機能を有し、アンテナダイバーシティ制御に基づいて当該二つの機能のうち何れか一方の機能が設定される（以下、このような指向性特性の設定をアンテナ設定という）。
【００１７】
無線部１２は、アンテナ部１１ａで受信される受信信号を増幅及び復調した後、フレーム処理及びデコード処理等を行ってＣＰＵ１３に入力する。また、無線部１２は、ＣＰＵ１３から入力される送信信号をエンコード処理及びフレーム処理等をした後、変調及び増幅してアンテナ部１１ａに入力する。
【００１８】
ＣＰＵ１３は、キーパッド１６が備える各種操作キーの押下による押下信号に応じて、通話アプリケーション等の各種アプリケーションを実行する。またＣＰＵ１３は、ＴＤＭＡ方式に基づいて送受信を行うと共にアンテナダイバーシティ制御を行う。アンテナダイバーシティ制御を行う際、ＣＰＵ１３は送受信のタイミングが重複しない時間を利用してＲＳＳＩを測定し、当該ＲＳＳＩが大となるようにアンテナ部１１ａのアンテナ設定を制御する。
【００１９】
ＲＯＭ１４は携帯電話１００の各種動作を制御する主制御プログラムや各種アプリケーション用プログラム等を格納し、ＲＡＭ１５はＣＰＵ１３により読み出された所定実行プログラムやプログラムの実行に係る各種データを一時的に格納するワークエリア等を形成する。
【００２０】
キーパッド１６は図示しない各種操作キーを備え、当該各種操作キーの押下信号をＣＰＵ１３に送信し、受話スピーカ１７は通話時に呼び出し音等の通信音や通信相手の音声等を出力し、マイク１９は入力された音声を電気的アナログ信号に変換する。また表示器１８はＬＣＤ（Ｌｉｑｕｉｄ　Ｃｒｙｓｔａｌ　Ｄｉｓｐｌａｙ）や着信用ＬＥＤ（Ｌｉｇｈｔ　Ｅｍｉｔｔｉｎｇ　Ｄｉｏｄｅ）等により構成される。
【００２１】
次いで図２を参照してアンテナ部１１ａについて詳細に説明する。図２（ａ）はアンテナ部１１ａの概略構成を示す図であり、図２（ｂ）はアンテナ部１１ａにおけるアンテナ設定と各スイッチのＯＮ・ＯＦＦ状態を示す図である。
【００２２】
まず図２（ａ）を参照してアンテナ部１１ａの構成を説明する。
図２（ａ）に示すように、アンテナ部１１ａは互いに対向する向きに設けられた棒状エレメント１１１ａ及びグランド板１１２を備えると共に、スイッチ部ＳＡを備えて構成される。スイッチ部ＳＡは、Ａ端子側にスイッチＳ１ａ、Ｓ１ｂを備え、Ｂ端子側にスイッチＳ２ａ、Ｓ２ｂを備える。
【００２３】
ここで棒状エレメント１１１ａは、従来の逆Ｆ型アンテナ（例えば、図５に示すアンテナ２０２ｂ）が備える棒状エレメントと同様の構成・機能を有するものとする。棒状エレメント１１１ａは、Ｂ端子側からＡ端子側に向かう方向に給電部Ｄ２、接地部Ｄ１が順に形成され、Ａ端子側からＢ端子側に向かう方向に給電部Ｄ３、接地部Ｄ４が順に形成されている。
【００２４】
スイッチＳ１ａは、ＯＮ状態の場合には棒状エレメント１１１ａの一端に設けられた接地部Ｄ１とグランド板１１２とを接続して当該接地部Ｄ１を接地させる。スイッチＳ１ｂは、ＯＮ状態の場合には棒状エレメント１１１ａのうち当該接地部Ｄ１より内側にある給電部Ｄ２とＡ端子とを接続し、給電部Ｄ２を介して棒状エレメント１１１ａに給電可能とする。
【００２５】
スイッチＳ２ａは、ＯＮ状態の場合には棒状エレメント１１１ａの他端に設けられた接地部Ｄ４とグランド板１１２とを接続して当該接地部Ｄ４を接地させる。スイッチＳ２ｂは、ＯＮ状態の場合には棒状エレメント１１１ａのうち当該接地部Ｄ４より内側にある給電部Ｄ３とＢ端子とを接続し、給電部Ｄ３を介して棒状エレメント１１１ａに給電可能とする。
【００２６】
アンテナ部１１ａは、棒状エレメント１１１ａがＡ端子から給電されるか或いはＢ端子から給電されるかに応じて、互いに異なる二つの指向性特性を有する二つ分のアンテナとして機能する。すなわちアンテナ部１１ａは、一つの棒状エレメント１１１ａのみを有するアンテナ装置であるが、給電部Ｄ２、Ｄ３の位置に応じて棒状エレメント１１１ａの電圧最大点が異なるため、互いに異なる二つの指向性特性を有する二つ分のアンテナとしての機能が実現できる。上記アンテナ設定は、給電部Ｄ２、Ｄ３を切り替えることによって行う。
【００２７】
次に図２（ｂ）を参照してアンテナ部１１ａの動作を説明する。ここでアンテナ部１１ａの動作はスイッチ部ＳＡが備える各スイッチのＯＮ・ＯＦＦ動作でありＣＰＵ１３によって制御される（アンテナダイバーシティ制御等）。
【００２８】
Ａ端子から棒状エレメント１１１ａに給電する場合、ＣＰＵ１３はスイッチＳ１ａ及びＳ１ｂをＯＮ状態にして接地部Ｄ１を接地させると共に給電部Ｄ２とＡ端子とを接続し当該給電部Ｄ２を介して棒状エレメント１１１ａに給電する。更にこの場合、ＣＰＵ１３はスイッチＳ２ａ及びＳ２ｂをＯＦＦ状態にする。
【００２９】
Ｂ端子から棒状エレメント１１１ａに給電する場合、ＣＰＵ１３はスイッチＳ２ａ及びＳ２ｂをＯＮ状態にして接地部Ｄ４を接地させると共に給電部Ｄ３とＢ端子とを接続し当該給電部Ｄ３を介して棒状エレメント１１１ａに給電する。更にこの場合、ＣＰＵ１３はスイッチＳ１ａ及びＳ１ｂをＯＦＦ状態にする。
【００３０】
以上説明したように、携帯電話１００が備えるアンテナ部１１ａは従来の逆Ｆ型アンテナの棒状エレメントと同様の構成・機能を有する棒状エレメント１１１ａを備えると共に、棒状エレメント１１１ａに給電部Ｄ２を介して給電するか或いは給電部Ｄ３を介して給電するかを切り替えるスイッチ部ＳＡを備える。アンテナ部１１ａは給電部Ｄ２、Ｄ３がスイッチ部ＳＡを介して切り替わることにより互いに異なる指向性特性を有する二つ分のアンテナとしての機能を実現する。これによりアンテナダイバーシティを実現することが可能となる。
【００３１】
従って、アンテナ部１１ａは、一つの棒状エレメント１１１ａを備えるだけで二つの異なるアンテナの機能を有するので、携帯電話１００の小型軽量化が図られる。この場合、棒状エレメント１１１ａはロッド式アンテナではなく従来の逆Ｆ型アンテナのエレメントと同様の構成・機能を有するものであり、棒状エレメント１１１ａは携帯電話１００の図示しない筐体内部に設置されるので、当該筐体の外部にアンテナの突起部が形成されることがなくなる。この為、携帯電話１００の小型軽量化及び可搬性の向上が図られる。
更に、携帯電話１００は、アンテナ部１１ａに単一の棒状エレメント１１１ａのみが配設されるので、複数のアンテナ同士の相互結合が生じたり、アンテナ間の相関が高くなるような事態が回避でき、アンテナダイバーシティ効果の向上が図られる。
【００３２】
なお、本実施の形態における記述は、本発明に係るアンテナ装置の一例を示すものであり、これに限定されるものではない。本実施の形態のアンテナ部１１ａの細部構成及び詳細動作に関しては、本発明の趣旨を逸脱しない範囲で適宜変更可能である。
【００３３】
例えば、アンテナ部１１ａは携帯電話１００に設置されるとして説明したが、これに限らず、携帯電話以外の他の通信装置に設置されるようにしても良い。
【００３４】
また、アンテナ部１１ａはスイッチ部ＳＡのスイッチ動作により棒状エレメント１１１ａの給電部Ｄ２、Ｄ３が切り替わるとしたが、他のスイッチを用いて給電部Ｄ２、Ｄ３を切り替えるようにしても良い。図３（ａ）に示すアンテナ部１１ｂは、スイッチ部ＳＢを用いて給電部Ｄ２、Ｄ３を切り替えるような構成となっている。
【００３５】
図３（ａ）に示すように、アンテナ部１１ｂは、スイッチ部ＳＢを除く他の構成はアンテナ部１１ａと同様であり、Ａ端子から給電されるか或いはＢ端子から給電されるかに応じて（すなわち給電部Ｄ２を介して給電されるか或いは給電部Ｄ３を介して給電されるかに応じて）、互いに異なる二つの指向性特性を有する二つ分のアンテナとして機能する。すなわちアンテナ部１１ｂは、アンテナ部１１ａと同様に、一つの棒状エレメント１１１ａのみを有するアンテナ装置であるが、給電部Ｄ２、Ｄ３に応じて互いに異なる二つ分のアンテナとしての機能を実現する。
【００３６】
ここで、スイッチ部ＳＢは、Ａ端子側にスイッチＳ３ａ、Ｓ３ｂ、Ｓ３ｃ及びＳ３ｄを備えると共に、Ｂ端子側にスイッチＳ４ａ、Ｓ４ｂ、Ｓ４ｃ及びＳ４ｄを備える。
【００３７】
アンテナ部１１ｂはスイッチ部ＳＢが備える各スイッチのＯＮ・ＯＦＦ状態が切り替わることにより棒状エレメント１１１ａの給電部Ｄ２、Ｄ３が切り替わる。図３（ｂ）に示すように、Ａ端子から棒状エレメント１１１ａに給電する場合、ＣＰＵ１３は、Ａ端子側のスイッチＳ３ｃ及びＳ３ｄとＢ端子側のスイッチＳ４ａ及びＳ４ｂとをＯＮ状態にし、他のスイッチＳ３ａ、Ｓ３ｂ、Ｓ４ｃ及びＳ４ｄをＯＦＦ状態にする。また、Ｂ端子から棒状エレメント１１１ａに給電する場合、ＣＰＵ１３は、Ａ端子側のスイッチＳ３ａ及びＳ３ｂとＢ端子側のスイッチＳ４ｃ及びＳ４ｄをＯＮ状態にし、他のスイッチＳ３ｃ、Ｓ３ｄ、Ｓ４ａ及びＳ４ｂをＯＦＦ状態にする。
【００３８】
また、アンテナ部１１ａは、従来の逆Ｆ型アンテナと同様の構成・機能を有する棒状エレメント１１１ａを備えるとしたが、これに限らず、他の構成・機能を有するエレメントを用いても良い。図４（ａ）に示すアンテナ部１１ｃは、板状エレメント１１１ｂを備える。図４（ａ）に示すように、アンテナ部１１ｃは、アンテナ部１１ｂと同じスイッチ部ＳＢを備え、スイッチ部ＳＢが備える各スイッチのＯＮ・ＯＦＦ状態が切り替わることにより棒状エレメント１１１ｂの給電部が切り替わる（この場合の給電部をＥ２、Ｅ３とし、接地部をＥ１、Ｅ４とする。図３（ｂ）に示す図を参照）。これにより、棒状エレメント１１１ａを備えたアンテナ部１１ａ等とは異なる指向性特性を有するアンテナが実現できる。
【００３９】
この場合、Ｂ端子側からＡ端子側に向かう方向に給電部Ｅ２、接地部Ｅ１が順に形成され、Ａ端子側からＢ端子側に向かう方向に給電部Ｅ３、接地部Ｅ４が順に形成されている。
【００４０】
なお、アンテナ部１１ｃは、図４（ａ）に示すようにスイッチ部ＳＢを用いても良いが、スイッチ部ＳＡ用いた構成であっても良い（この場合、板状エレメント１１１ｂに対する給電の仕方と各スイッチのＯＮ・ＯＦＦ状態との関係は図２（ｂ）に示す図を参照）。
【００４１】
また、アンテナ部１１ａは、棒状エレメント１１１ａの両端の各々に接地部Ｄ１、Ｄ４が形成され、棒状エレメント１１１ａの内側に給電部Ｄ２、Ｄ３が形成されたものとしたが、これに限るものではない。図４（ｂ）に示すアンテナ部１１ｄのように、棒状エレメント１１１ａの両端に各給電部を設け、棒状エレメント１１１ａの内側に各接地部を設けても良い（この場合の給電部をＦ１、Ｆ４とし、接地部をＦ２、Ｆ３とする）。図４（ｂ）に示すように、アンテナ部１１ｄは、アンテナ部１１ｂと同じスイッチ部ＳＢを備え、スイッチ部ＳＢが備える各スイッチのＯＮ・ＯＦＦ状態が切り替わることにより棒状エレメント１１１ａの給電部Ｆ１、Ｆ４が切り替わる（図３（ｂ）に示す図を参照）。これにより、棒状エレメント１１１ａの両端の各々に接地部Ｄ１、Ｄ４を設けたアンテナ部１１ｂ等とは異なる指向性特性を有するアンテナが実現できる。
【００４２】
なお、アンテナ部１１ｄは、図４（ｂ）に示すようにスイッチ部ＳＢを用いても良いが、スイッチ部ＳＡを用いた構成であっても良い（この場合、棒状エレメント１１１ａに対する給電の仕方と各スイッチのＯＮ・ＯＦＦ状態との関係は図２（ｂ）に示す図を参照）。更に、アンテナ部１１ｄは、棒状エレメント１１１ａを用いても良いが、板状エレメント１１１ｂを用いた構成であっても良い。
【００４３】
また、接地部或いは給電部の何れか一組は棒状エレメント１１１ａ（板状エレメント１１１ｂ）の端（外縁）に設けるとしたが、これに限らず、これら接地部及び給電部を共に棒状エレメント１１１ａ（板状エレメント１１１ｂ）の端（外縁）近傍に設けるようにしても良い。
【００４４】
【発明の効果】
本発明によれば、アンテナ装置と当該アンテナ装置に対してアンテナダイバーシティ制御を行う通信装置において、アンテナ装置及び通信装置の小型軽量化が図られると共にアンテナダイバーシティ効果が向上する。
【図面の簡単な説明】
【図１】本実施の形態における携帯電話の主要構成を示すブロック図である。
【図２】（ａ）は本発明を適用したアンテナ部の概略構成を示す図であり、（ｂ）は同アンテナ部におけるアンテナ設定とスイッチのＯＮ・ＯＦＦ状態を示す図である。
【図３】（ａ）は他の実施例におけるアンテナ部の概略構成を示す図であり、（ｂ）は同アンテナ部におけるアンテナ設定とスイッチのＯＮ・ＯＦＦ状態を示す図である。
【図４】（ａ）は他の実施例として板状エレメントを備えたアンテナ部の概略構成を示す図であり、（ｂ）は他の実施例として給電部及び接地部の配置を変えたアンテナ部の概略構成を示す図である。
【図５】（ａ）は従来の携帯電話を透視的に示す斜視図であり、（ｂ）は従来の逆Ｆ型アンテナの概略構成を示す図である。
【符号の説明】
１００　携帯電話
１１ａ〜１１ｄ　アンテナ部
１１１ａ　棒状エレメント
１１１ｂ　板状エレメント
１１２　グランド板
ＳＡ、ＳＢ　スイッチ部
Ｓ１ａ、Ｓ１ｂ、Ｓ３ａ〜Ｓ３ｄ　スイッチ（Ａ端子側）
Ｓ２ａ、Ｓ２ｂ、Ｓ４ａ〜Ｓ４ｄ　スイッチ（Ｂ端子側）
１２　無線部
１３　ＣＰＵ
１４　ＲＯＭ
１５　ＲＡＭ
１６　キーパッド
１７　受話スピーカ
１８　表示器
１９　マイク
【図１】
2004040554.tif 000003
【図２】
2004040554.tif 000004
【図３】
2004040554.tif 000005
【図４】
2004040554.tif 000006
【図５】
2004040554.tif 000007